(57)【要約】【課題】粉砕用のモータの過負荷が防止でき、また生ゴミの不十分な粉砕が防止できるものとなし、また生ゴミの円滑な排出を可能となす。【解決手段】凹み部２内に溜まった生ゴミを送り込まれるディスポーザ３を備えた生ゴミ粉砕排出処理装置において、前記凹み部２内に溜まった生ゴミを動力により定量的にディスポーザ３に送り込むものとした搬送装置１０を設けたものである。【選択図】        図１
2004313948.tif 000002
【特許請求の範囲】
【請求項１】
凹み部内に溜まった生ゴミを送り込まれるディスポーザを備えた生ゴミ粉砕排出処理装置において、前記凹み部内に溜まった生ゴミを動力により定量的にディスポーザに送り込むものとした搬送装置を設けたことを特徴とする生ゴミ粉砕排出処理装置。
【請求項２】
凹み部内に溜まった生ゴミを水と一緒に送り込まれるディスポーザと、該ディスポーザで粉砕された生ゴミ及びこれと共存する水を吸引して他所へ圧送する排出ポンプとを備えた生ゴミ粉砕排出処理装置において、前記凹み部内に溜まった生ゴミを動力により定量的にディスポーザに送り込むものとした搬送装置を設けたことを特徴とする生ゴミ粉砕排出処理装置。
【請求項３】
前記凹み部内の水を流下させるための管路を、前記ディスポーザの出口個所と前記排水ポンプの吸引口個所とを結合した管路の途中に連通させたことを特徴とする請求項２記載の生ゴミ粉砕排出処理装置。
【請求項４】
前記凹み部の底面が特定方向へ向けて水平面に対し凡そ５度〜３０度程度傾斜されると共に、前記搬送装置が前記底面の前記特定方向個所に添わせられたスクリュー形回転搬送体を備え、前記凹み部内の生ゴミが前記スクリュー形回転搬送体の回転により前記底面に沿って上り傾斜方向へ搬送された後に前記ディスポーザ内に落下される構成を特徴とする請求項１、２又は３記載の生ゴミ粉砕排出処理装置。
【発明の詳細な説明】
【０００１】
【発明の属する技術分野】
本発明は、安定的且つ効率的な処理の行える生ゴミ粉砕排出処理装置に関する。
【０００２】
【従来の技術】
凹み部内に溜まった生ゴミを水と一緒に送り込まれるディスポーザと、該ディスポーザで粉砕された生ゴミ及びこれと共存する水を吸引して他所へ圧送する排出ポンプとを備えた生ゴミ粉砕排出処理装置は存在している（特許文献１）。
この装置では、前記凹み部内に存在する生ゴミは該凹み部内に水を流すことにより、ある程度は水と一緒にディスポーザ内に流れ込むようになるが、一般には、該凹み部内の生ゴミを人手によりディスポーザへ向けて押すことにより適量づつディスポーザ内に送り込むようにしている。
【０００３】
【特許文献１】
特開２００３−３５４７号公報
【０００４】
【発明が解決しようとする課題】
上記した在来の生ゴミ粉砕排出処理装置では、上述したようにディスポーザへの生ゴミの送り込みを人手で行うために次のような不具合がある。
【０００５】
即ち、生ゴミが一度に多量にディスポーザに送り込まれることがあり、この際、生ゴミの粉砕に伴うディスポーザの負荷が大きくなり過ぎて粉砕用のモータが過熱状態となる虞がある。
また生ゴミが一度に多量にディスポーザに送り込まれると、前記処理室内での粉砕刃の回転による生ゴミの回転が十分なものとならないため、生ゴミに有効な遠心力が作用せず、その粉砕が十分に行われない事態が発生するのであり、またご飯などが多量に送り込まれると、ディスポーザの処理室部の内方でご飯が粉砕されることにより、それが餅状となって外方へ流出し難くなるなどの弊害が生じるのである。そして、これらの不具合は排出ポンプによる生ゴミの排出をも損ねることとなる。
本発明はこれらの問題点に対処できるものとした生ゴミ粉砕排出処理装置を提供することを目的とするものである。
【０００６】
【課題を解決するための手段】
上記目的を達成するため、本発明に係る生ゴミ粉砕排出処理装置は、請求項１に記載したように、凹み部内に溜まった生ゴミを送り込まれるディスポーザを備えた生ゴミ粉砕排出処理装置において、前記凹み部内に溜まった生ゴミを動力により定量的にディスポーザに送り込むものとした搬送装置を設けたものである。これによれば、前記搬送装置が前記ディスポーザに生ゴミを動力により定量的に送り込むため、前記ディスポーザは送り込まれた適量の生ゴミを効果的に粉砕するものとなる。
【０００７】
さらに詳細には、請求項２に記載したように、凹み部内に溜まった生ゴミを水と一緒に送り込まれるディスポーザと、該ディスポーザで粉砕された生ゴミ及びこれと共存する水を吸引して他所へ圧送する排出ポンプとを備えた生ゴミ粉砕排出処理装置において、前記凹み部内に溜まった生ゴミを動力により定量的にディスポーザに送り込むものとした搬送装置を設けたものである。
これによれば、請求項１記載の発明と同様な作用が得られる上に次のような作用が得られるのであって、即ち、前記ディスポーザが適量の生ゴミを効果的に粉砕するものとなるため、前記排出ポンプがそのように粉砕された生ゴミを円滑に他所へ排出するものとなる。
【０００８】
上記発明は次のように具体化するのがよい。
即ち、請求項３に記載したように、前記凹み部内の水を流下させるための管路を、前記ディスポーザの出口個所と前記排水ポンプの吸引口個所とを結合した管路の途中に連通させた構成となす。これによれば、前記凹み部内に溜まった水が重力作用により前記排水ポンプ内へ流下するようになると共に前記排水ポンプの動力作動による吸引力で該排水ポンプ内へ積極的に吸引されるようにもなる。したがって前記凹み部内の生ゴミはこれに混入している水を排除されて適度な流動性を有するものとなり、例えばスクリュー形回転搬送体のような搬送部材により、定量的に、ディスポーザへ送り込まれるものとなる。
【０００９】
また請求項４に記載したように、前記凹み部の底面が特定方向へ向けて水平面に対し凡そ５度〜３０度程度傾斜されると共に、前記搬送装置が前記底面の前記特定方向の個所に添わせられたスクリュー形回転搬送体を備え、前記凹み部内の生ゴミが前記スクリュー形回転搬送体の回転により前記底面に沿って上り傾斜方向へ搬送された後に前記ディスポーザ内に落下される構成となす。
【００１０】
これによれば、前記搬送装置が安価なものとなり、また前記スクリュー形回転搬送体や前記凹み部の底面が凡そ５度〜３０度程度傾斜されるため、前記スクリュー形回転搬送体と前記凹み部の底面との間に位置した生ゴミはこれが広い範囲で性状が異なるものであっても、前記スクリュー形回転搬送体の回転により円滑且つ定量的に前記ディスポーザへ送り込まれるようになるのである。また前記スクリュー形回転搬送体はその回転数の変化により、生ゴミを任意な特定大きさの流量で安定的に搬送するものとなる。
【００１１】
【発明の実施の形態】
図１は本発明に係る生ごみ粉砕排出処理装置を示す断面視側面図、図２は前記処理装置の平面図、図３は前記処理装置の凹み部を図２中のｘ−ｘ個所で切断したときの断面図、図４は前記処理装置の始動時の作動フローを示す図、図５は前記処理装置の停止時の作動フローを示す図である。
【００１２】
図１及び図２において、１はシンクで、全体を箱形に形成され、上面部１ａに生ゴミなどの投入される凹み部２を形成されている。該凹み部２は左端を浅く右端を深くなされていて底面２ａを左方向へ向けて水平面に対し凡そ５度〜３０度程度の角度で漸次上昇するように傾斜されており、また該底面２ａの左右方向ｆ１全範囲での前後方向ｆ２巾の中央個所に直状の溝部２ｂを形成されており、また該底面２ａの最右端部に溝部２ｂの最下位置ａよりもさらに低くなされたウエル部２ｃを形成されている。また該凹み部２の左右方向ｆ１の断面形状は図３に示すように、前後方向ｆ２各端部の起立状の側面部２ｄ、２ｅから前後方向ｆ２巾の中央個所へ向かうに伴って漸次に降下すると共に前後方向ｆ２巾の中央個所である前記溝部２ｂ個所をＵ字状に屈曲されたものとなされている。
【００１３】
凹み部２の右側でシンク１の内方には生ゴミを粉砕するためのディスポーザ３が設けてある。該ディスポーザ３は投入筒部３ａ、処理室部３ｂ、第一モータ３ｃ及び支持台３ｄからなっており、この際、投入筒部３ａはシンク１の上面部１ａに接続されていて上面を開口されており、処理室部３ｂは投入筒部３ａの下部内方と連通されると共に内部に図示しない粉砕刃を縦軸回りの回転可能に設けたものとなされており、第一モータ３ｃは前記粉砕刃を回転駆動するものとなされており、支持台３ｄはシンク１の底面部１ｂに固定されて投入筒部３ａ、処理室部３ｂ及び第一モータ３ｃの重量を支持するものとなされている。
【００１４】
凹み部１の下方でシンク１の内方にはディスポーザ３で粉砕された生ゴミなどを外方へ排出するための排出ポンプ４や、該ポンプ４を駆動するための第二モータ５が設けてある。排出ポンプ４は吸引口個所４ａと吐出口個所４ｂとを有しており、吸引口個所４ａはディスポーザ３の出口個所３ｅと略同一高さとなされていて該出口個所３ｅと管路６を介して連通状に結合されており、また吐出口個所４ｂは上向きとなされていて排出管７と連結されている。ここに、排出管７はディスポーザ３の処理室３ｂの高さまで上昇された立ち上がり部７ａを有し、該立ち上がり部７ａの下流側を右側へ降下されてシンク１の右側面部１ｃの外方まで導かれている。そして、第二モータ５は排出ポンプ４と共にシンク１の底面部１ｂに支持された支持台８の上面に固定されており、ベルト伝動手段９を介して排出ポンプ４を駆動するものとなされている。
【００１５】
凹み部１とディスポーザ３の投入筒部３ａとの間には前記凹み部２内の生ゴミを投入筒部３ａ内に搬送するための搬送装置１０が形成されている。該搬送装置１０は凹み部２の溝部２ｂの内方に凹み部２の底面２ａに添わせて左右向きに位置されたスクリュー形回転搬送体１１と、シンク１の内方で凹み部２の右端面２ｆの右側に配設された減速機構付の第三モータ１２とを備えている。この際、凹み部２の内方と投入筒部３ａの内方とは通路１３を介して液密状に連通されており、スクリュー形回転搬送体１１の左端は該通路１３を通じて投入筒部３ａの内方に到達されている。スクリュー形回転搬送体１１は回転軸１１ａに螺旋羽根１１ｂを固着したものとなされており、回転軸１１ａの右端は凹み部２の右端面を液密状に右側へ貫挿されると共に第三モータ１２の出力軸と結合され、左端は凹み部２の左端面２ｇに固定された軸受１３で回転自在に支持されている。
【００１６】
ウエル部２ｃの内方空間と管路６の途中個所とは漸次に降下する管路１４で結合されており、ウエル部２ｃ内に溜まった水が重力作用で管路１４内に流下するようになされると共に動力により作動される排出ポンプ４の吸引力により吸引されるようにもなされている。また凹み部２の内方で前後の側面部２ｄ、２ｅの近傍に多数の放水ノズル１５ａを設け、該ノズル１５ａから流出された水が側面部２ｄ、２ｅ、底面２ａ及び溝部２ｂ内を経てウエル部２ｃに到達するようになされると共に、投入筒部３ａの内方の上部にも放水ノズル１５ｂを設け、該ノズル１５ｂから流出した水が投入筒部３ａの内面を経て処理室部３ｂの内方個所である処理室に到達するようになされている。そして、これら放水ノズル１５ａ、１５ｂに水を供給するための給水系統１５の途中には水の供給を開始或いは停止させるための電磁止め弁１６が設けられている。
【００１７】
シンク１の上面部にはディスポーザ３の投入筒部３ａと凹み部２との上面が開口された状態となっているが、投入筒部３ａの開口個所にはこれを密状に覆うための比較的小さいカバー１７がヒンジを介して開閉可能に装着されており、また凹み部２の開口個所にはこれを密状に覆うための比較的大きい左右一対のカバー１８ａ、１８ｂが配置されていて、右側のカバー１８ｂはヒンジを介して右端縁回りの揺動可能となされ、左側のカバー１８ｂはヒンジを介して左端縁回りの揺動可能となされている。これらカバー１７、１８ａ、１８ｂは透明板となすのがよいのであり、このようにすれば凹み部２や投入筒部３ａの内方が透視できて作業が行い易くなる。
【００１８】
シンク１の上面部１ａの後側の辺部にはこれの全長に及ぶ立ち上がり面部１９を形成されており、該立ち上がり面部１９の右端個所にタイマーやリレーなどを具備した制御操作盤２０が装着されている。該立ち上がり面部１９は凹み部２や投入筒部３ａから飛散した水がシンク１の奥側へ流れるのを阻止する上で寄与するものである。
なお、ウエル部２ｃの真上個所で溝部２ｂの底部となる個所には生ゴミから水を分離させるための漉し網２１が設けられている。
【００１９】
次に上記した本発明品の使用例及び各部の作動について説明する。
本発明品はレストランの厨房などに設置され、給水系統１５は常設の水道管と連通され、また排出管７は下水道と連通される。また搬送装置１０のスクリュー形回転搬送体１１はディスポーザ３の粉砕能力に適合した特定の回転速度で回転するように設定する。
【００２０】
次にカバー１８ａ、１８ｂを開放し、レストランの厨房などで発生した生ゴミを凹み部２内に投入した後、それらカバー１８ａ、１８ｂを閉鎖する。次に図４中のステップ１００で示すように制御操作盤２０の始動ボタンをオン（ＯＮ）操作する。これにより、制御操作盤２０に組み込まれた制御回路が作動を開始し、先ず電磁止め弁１６を開放作動させ、水道管から電磁止め弁２０を経てこれの下流側の給水系統１５へ水を供給し放水ノズル１５ａ、１５ｂから散水させる。この際、放水ノズル１５ａ、１５ｂからの散水は凹み部２内の生ゴミを溝部２ｂに流すように作用する。そして、電磁止め弁１６の開放作動から例えば２秒後にステップ１０１に移行し、排出ポンプ４が作動を開始されるのであり、これによりディスポーザ３内の水やウエル部２ｃに溜まった水が管路１４を経て吸引口個所４ａから動力による吸引力により吸引されて昇圧された後、吐出口４ｂから排出管７を通じて下水道に送り出されると共に、凹み部２内に過多量の水が滞留することはなくなり、生ゴミはスクリュー形回転搬送体１１による搬送に適した状態となる。
【００２１】
また制御回路の作動により排出ポンプ４の作動と同時に第三モータ１２が作動を開始され、該モータ１２に連動してスクリュー形回転搬送体１１が予め設定された特定速度で回転される。これにより、スクリュー形回転搬送体１１はこれの周囲に水と一緒に流れ込んだ生ゴミを螺旋羽根１１ｂの回転により特定大きさの流量で左方向へ向け上り斜面上を経て連続的に送り移動させるのであり、このように送り移動された生ゴミは通路１３を通じて投入筒部３ａ内に送り出される。こうして投入筒部３ａ内に達した生ゴミは放水ノズル１５ａ、１５ｂから散水された水で流されつつ処理室部３ｂ内に落下する。
【００２２】
上記したスクリュー形回転搬送体１１による生ゴミの搬送において、スクリュー形回転搬送体１１の送り方向が水平面に対して５度〜３０度の上り傾斜となっていることは、生ゴミの性状が広い範囲で変化しても的確に搬送することを可能となす上で重要である。
【００２３】
このようなスクリュー形回転搬送体１１による生ゴミの搬送の一方では、制御操作盤２０内の制御回路が第三モータ１２の作動開始時点からの経過時間を該制御回路の第一タイマーにカウントさせ、該タイマー上で予め設定されたタイマ時間Ｔ１が経過したとき、ステップ１０２に示すように第一モータ３ｃの作動を開始させる。この際、タイマーで設定されるタイマ時間Ｔ１は第三モータ１２が作動を開始した時点から、生ゴミがスクリュー形回転搬送体１１に搬送されて投入筒部３ａ内に到達するまでに必要な時間であり、例えば１０秒などとなされる。
【００２４】
第一モータ３ｃの作動が開始されると、これに連動して、前記処理室内の図示しない粉砕刃が回転されるのであり、前記処理室内の生ゴミはこの粉砕刃により放水ノズル１５ｂから散水された水の存在下で粉砕されつつ順次に出口個所３ｅに到達し、排出ポンプ４で下水道に排出される。このようなディスポーザ３による粉砕処理において、前記処理室内の生ゴミは常に適当量に維持されるものとなり、また前記処理室内には排水管７の立ち上がり部７ａとの関連で常に適当量の水が溜まった状態となることから、第一モータ３ｃに過不足のない負荷が作用し、生ゴミは効率的に粉砕されるものとなる。
【００２５】
前記処理室内の生ゴミの性状が大きく異なるものとなって、ディスポーザ３の作動中に第一モータ３ｃに過大或いは過小の負荷が作用するときは、第三モータ１２の回転速度を変更調整してスクリュー形回転搬送体１１のそれを低下或いは増大させるようにする。
また凹み部２内の生ゴミが減少したとき、必要に応じ再びカバー１８ａ、１８ｂを開放してさらに生ゴミを投入するようになされるのであり、また少量の生ゴミを粉砕するときは、処理筒部３ａのカバー１７を開放し、その内方へ直接に投入してもよい。
【００２６】
次に凹み部２内の生ごみが無くなって処理を終了するときは、図５中のステップ１０３で示すように制御操作盤２０の停止ボタンをオン（ＯＮ）操作する。これに関連して、図示しない制御回路がステップ１０４に示すように第三モータ１２の作動を停止させ、続いて遅延回路の作用により第三モータ１２の停止時点から例えば５秒が経過したときステップ１０５に移行して第一モータ３ｃの作動を停止させるのであり、これによりディスポーザ３はこれの内方に残存している未粉砕の生ゴミを全て粉砕した状態となった後に停止される。そして第一モータ３ｃの作動停止時点からの経過時間を第二タイマにカウントさせ、該タイマ上で予め設定されたタイマ時間Ｔ２、例えば１５秒が経過したとき、ステップ１０６に移行して第二モータ５の作動を停止させるのであり、これにより前記処理室内に残っている生ゴミが排出管７の外方まで排出された後に、排出ポンプ４の作動が停止されるものとなる。そして第二モータ５の作動停止時点からの経過時間を第三タイマにカウントさせ、該タイマ上で予め設定されたタイマ時間Ｔ３、例えば６０秒が経過したときに、ステップ１０７に移行し、電磁止め弁１６を閉鎖作動させる。これにより、放水ノズル１５ａから散水された水は排出ポンプ４の作動が停止された後にも凹み部２、ウエル部２ｃ、管路１４を洗い流すように流れ、また放水ノズル１５ａから散水された水は投入筒部３ａ、処理室部３ｂ及び管路６を洗い流すように流れ、その後、これらの水は重力作用により排出ポンプ４や排出管７を洗いながすように流れて放出される。
【００２７】
上記実施例は本発明の要旨を変更しない範囲で任意に変更して差し支えないものであり、例えば搬送装置１０はスクリュー形回転搬送体１１の周囲を円筒ケーシングで適宜に包囲したものとなしてもよいのであり、或いはスクリュー形回転搬送体１１を使用しないもの（例えば送りローラ或いは送りベルトなどを使用したものなど）であってもよい。またディスポーザ３やスクリュー形回転搬送体１１は凹み部２の前後何れかの側へ片寄せて設けてもよい。
【００２８】
【発明の効果】
上記した本発明によれば、次のような効果が得られる。
即ち、請求項１記載のものによれば、搬送装置１０が動力により生ゴミをディスポーザ３の粉砕能力に応じた流量でディスポーザ３に供給するため、粉砕用のモータ３ｃの過負荷や過熱状態を防止できると共に生ゴミを円滑に他所へ排出させることができる。
【００２９】
請求項２記載のものによれば、請求項１記載の発明と同様な効果が得られる上に次のような効果が得られるのであって、即ち、ディスポーザ３が生ゴミを効果的に粉砕するものとなるため、そのように粉砕された生ゴミを排出ポンプ４によって円滑に他所へ排出させることができる。
【００３０】
請求項３記載のものによれば、請求項２記載の発明と同様な効果が得られる上に次のような効果が得られるのであって、即ち、凹み部２内に溜まった水が重力作用により排水ポンプ４内へ流下するようになると共に排水ポンプ４の動力作動による吸引力で該排水ポンプ４内へ積極的に吸引されるようにもなるため、凹み部２内の生ゴミからこれに混入している水を除去させてその生ゴミを適度な流動性を有するものとなすことができ、これにより例えばスクリュー形回転搬送体１１のような搬送部材によっても生ゴミを定量的にディスポーザ３へ送り込ませることができる。
【００３１】
請求項４記載のものによれば、請求項３記載の発明と同様な効果が得られる上に次のような効果が得られるのであって、即ち、搬送装置１０を安価なものとなすことができ、またスクリュー形回転搬送体１１や凹み部２の底面２ａが凡そ５度〜３０度程度傾斜されるため、スクリュー形回転搬送体１１と凹み部２の底面２ａとの間に位置した生ゴミをこれの性状が広い範囲で変化してもスクリュー形回転搬送体１１の回転により円滑且つ定量的にディスポーザ３へ送り込ませることができるのであり、またスクリュー形回転搬送体１１の回転数を変化させることにより、生ゴミを任意な特定大きさの流量で安定的にディスポーザ３へ送り込ませることができる。
【図面の簡単な説明】
【図１】本発明に係る生ごみ粉砕排出処理装置を示す断面視側面図である。
【図２】前記処理装置の平面図である。
【図３】前記処理装置の凹み部を図２中のｘ−ｘ個所で切断したときの断面図である。
【図４】前記処理装置の始動時の作動フローを示す図である。
【図５】前記処理装置の始動時の作動フローを示す図である。
【符号の説明】
２  凹み部
３  ディスポーザ
３ｅ  ディスポーザ３の出口
４  排出ポンプ
４ａ  吸引口個所
６  管路
１０  搬送装置
１４  管路
【図１】
2004313948.tif 000003
【図２】
2004313948.tif 000004
【図３】
2004313948.tif 000005
【図４】
2004313948.tif 000006
【図５】
2004313948.tif 000007